(57)【要約】      （修正有）【課題】張地に高い張力を付与することが難しいという課題を解消する。【解決手段】座５が、左右対をなす座フレーム１５と、これら両座フレーム１５間に張設された可撓性のある座張地１７と、この座張地１７との間に空間１９を形成しつつ前記両座フレーム１５の前端部間に介設されその介設状態で前記座張地１７に張力を付与する前横梁２１とを備え、背凭れ７が、左右対をなす背フレーム２３と、これら両背フレーム２３間に張設された可撓性のある背張地２５と、この背張地２５との間に空間を形成しつつ前記両背フレーム２３の上部間に介設されその介設状態で前記背張地２５に張力を付与する上横梁２９と、前記背張地２５から後方に離れた状態で前記両背フレーム２３の下部間に介設されその介設状態で前記背張地２５に張力を付与する下横梁３３とを備える。【選択図】図１
2011045567.tif 000002
【特許請求の範囲】
【請求項１】
脚体と、この脚体により旋回可能に支持された支持基部と、この支持基部に支持された座及び背凭れとを具備してなる回転椅子において、
前記座が、左右対をなす座フレームと、これら両座フレーム間に張設された可撓性のある座張地と、この座張地との間に空間を形成しつつ前記両座フレームの前端部間に介設されその介設状態で前記座張地に張力を付与する前横梁とを備えたものであり、
前記背凭れが、左右対をなす背フレームと、これら両背フレーム間に張設された可撓性のある背張地と、この背張地との間に空間を形成しつつ前記両背フレームの上部間に介設されその介設状態で前記背張地に張力を付与する上横梁と、前記背張地から後方に離れた状態で前記両背フレームの下部間に介設されその介設状態で前記背張地に張力を付与する下横梁とを備えたものであることを特徴とする回転椅子。
【請求項２】
前記座フレームと前記背フレームとが連続したものであり、前記座と背凭れとが一体に構成されている請求項１記載の回転椅子。
【請求項３】
前記座フレームと前記背フレームとが不連続のものであり、前記座と背凭れとが別体で構成されている請求項１記載の回転椅子。
【請求項４】
前記前横梁が、左右両端部に左右の座フレームの少なくとも内側面に直接的または間接的に密接する対をなす取付壁を備えたものであり、前記上横梁及び下横梁が、左右両端部に左右の背フレームの少なくとも内側面に密接する対をなす取付壁をそれぞれ備えたものである請求項１、２または３記載の回転椅子。
【請求項５】
前記取付壁が、前記座フレームまたは背フレームに沿って伸びる形状をなしており、それら各取付壁をそれぞれ複数の止着具を用いて対応する座フレームまたは背フレームに止着している請求項４記載の回転椅子。
【請求項６】
前記取付壁が、その厚み寸法よりも座フレームまたは背フレームに沿う方向の長手寸法を大きく設定したものである請求項４または５記載の回転椅子。
【請求項７】
前記背フレームが、下端近傍部に着座者の腰形状に対応して前方に突出する突出部を有したものであり、前記背張地が下横梁により張力を付与されることにより前記突出部に対応した突出形状をなすように張設されている請求項１、２、３、４、５または６記載の回転椅子。
【請求項８】
前記座及び背が、前記下横梁のみを介して前記支持基部に片持ち支持されている請求項１、２、３、４、５、６または７記載の回転椅子。
【請求項９】
前記座張地及び背張地が縁部に押し込み材を備えたものであり、この押し込み材を前記座フレーム及び背フレームの外面側に連続的に設けられた取付溝に反転させて挿入して座張地及び背張地を張設している請求項１、２、３、４、５、６、７または８記載の回転椅子。
【請求項１０】
前記座張地及び背張地が、メッシュ状のものである請求項１、２、３、４、５、６、７、８または９記載の回転椅子。
【発明の詳細な説明】
【技術分野】
【０００１】
本発明は、可撓性のある張地を備える回転椅子に関する。
【背景技術】
【０００２】
従来、フレーム間に張地を張設して座や背凭れを構成した椅子が種々知られている（例えば、特許文献１を参照）。
【０００３】
また、オフィス等で使用される回転椅子においても、フレーム間にメッシュ状の張地を張設して座や背凭れを形成したものが数多く開発されている。
【０００４】
ところが従来のものは、いずれもあらかじめ形状の定まったフレームの内側に張地を張設するものであるため、その張地に高い張力を付与することが難しいという問題があった。そのため、座面や背凭れ面を所望の形状に設定して座り心地のよい椅子を実現することに一定の限界があり、なんらかの改善が望まれている。
【０００５】
特に、長時間使用するオフィス用の回転椅子等においては、背凭れの形状を使用者の背中の形状に密接に沿わせることが要求されているが、前述した従来の構成のものでは、このような要求に応えるだけの張地の張設技術が存在しないため、ランバーサポート等の他のオプション部品を用いてその要求に応えているのがその現状である。
【先行技術文献】
【特許文献】
【０００６】
【特許文献１】特開２００２−１７２０３９号公報
【発明の概要】
【発明が解決しようとする課題】
【０００７】
本発明は、以上のような課題を解決しようとするものであり、張地に高い張力を付与することが難しいという課題を解消することができる椅子を提供することを目的とする。
【課題を解決するための手段】
【０００８】
本発明は、以上のような課題を解決するために、次のような構成を採用したものである。すなわち、本発明に係る回転椅子は、脚体と、この脚体により旋回可能に支持された支持基部と、この支持基部に支持された座及び背凭れとを具備してなるものにおいて、前記座が、左右対をなす座フレームと、これら両座フレーム間に張設された可撓性のある座張地と、この座張地との間に空間を形成しつつ前記両座フレームの前端部間に介設されその介設状態で前記座張地に張力を付与する前横梁とを備えたものであり、前記背凭れが、左右対をなす背フレームと、これら両背フレーム間に張設された可撓性のある背張地と、この背張地との間に空間を形成しつつ前記両背フレームの上部間に介設されその介設状態で前記背張地に張力を付与する上横梁と、前記背張地から後方に離れた状態で前記両背フレームの下部間に介設されその介設状態で前記背張地に張力を付与する下横梁とを備えたものであることを特徴とする。
【０００９】
ここで、背フレームの上部とは、背フレームの中間より上方の部分を指し、背フレームの下部とは、背フレームの中間より下方の部分を指すものとする。
【００１０】
このようなものであれば、左右対をなすフレームに横梁を介設した状態で張地に張力を付与しているので、張地を左右のフレームに対応した形状に保形でき、張地に高い張力を与えることができる。また、横梁と張地との間に空間を形成しつつまたは張地から後方に離れた状態で前記両フレーム間に横梁が介設されその介設状態で前記張地に張力を付与するので、張地をフレームに取り付ける段階では張地に張力を付与せずにフレームへの張地の張設を容易に行うことができ、一方、横梁を左右のフレーム間に介設した状態では、張地に所望の張力を与えることができる。すなわち、前記空間が張地のたわみしろとなり、張地の張力を調整しながら張地を張設することができる。したがって、従来の椅子が有していた、あらかじめ形状の定まったフレームの内側に張地を張設するものであるため、その張地に高い張力を付与することが難しいという問題を解消することができるものである。
【００１１】
このような回転椅子は、前記座フレームと前記背フレームとが連続したものであり、前記座と背凭れとが一体に構成されているであっても、または、前記座フレームと前記背フレームとが不連続のものであり、前記座と背凭れとが別体で構成されているものであってもよい。
【００１２】
前記前横梁が、左右両端部に左右の座フレームの少なくとも内側面に直接的または間接的に密接する対をなす取付壁を備えたものであり、前記上横梁及び下横梁が、左右両端部に左右の背フレームの少なくとも内側面に密接する対をなす取付壁をそれぞれ備えたものであれば、取付壁が左右の座フレーム及び背フレームを外側面側に押圧するため、前記張地に左右方向の張力を付与することができる。そのため、張地に高い張力を与えることができる。
【００１３】
前記取付壁が、前記座フレームまたは背フレームに沿って伸びる形状をなしており、それら各取付壁をそれぞれ複数の止着具を用いて対応する座フレームまたは背フレームに止着しているものであれば、座フレーム及び背フレームに取付壁を強固に取り付けることができる。したがって、前記取付壁が設けられた下横梁を座フレームに、上横梁及び下横梁を背フレームに強固に取り付けることが可能となる。
【００１４】
また、前記取付壁が設けられた下横梁を座フレームに、上横梁及び下横梁を背フレームに強固に取り付けるために、さらに前記取付壁が、その厚み寸法よりも座フレームまたは背フレームに沿う方向の長手寸法を大きく設定したものであることが好ましい。
【００１５】
特に体重が集中してかかる部分の張地の張力を所望の値にするための好適な態様としては、前記背フレームが、下端近傍部に着座者の腰形状に対応して前方に突出する突出部を有したものであり、前記背張地が下横梁により張力を付与されることにより前記突出部に対応した突出形状をなすように張設されているものが挙げられる。
【００１６】
このような回転椅子の具体的態様としては、前記座及び背が、前記下横梁のみを介して前記支持基部に片持ち支持されているものが挙げられる。
【００１７】
また、前記座張地及び背張地は、その縁部に押し込み材を備えたものであり、この押し込み材を前記座フレーム及び背フレームの外面側に連続的に設けられた取付溝に反転させて挿入して座張地及び背張地を張設しているものが好ましい。
【００１８】
前記座張地及び背張地の具体的態様としては、メッシュ状のものが挙げられる。
【発明の効果】
【００１９】
本発明は、以上のような構成であるから、張地に高い張力を付与することが難しいという課題を解消することができる椅子を提供することができる。
【図面の簡単な説明】
【００２０】
【図１】本発明の一実施形態を示す全体斜視図。
【図２】同実施形態の前面側を一部省略して示す斜視図。
【図３】同実施形態の前面側を一部省略して示す分解斜視図。
【図４】同実施形態の背面側を一部省略して示す斜視図。
【図５】同実施形態の背面側を一部省略して示す分解斜視図。
【図６】同実施形態を張地の片半部及び脚体を省略して示す正面図。
【図７】同実施形態を張地の片半部及び脚体を省略して示す平面図。
【図８】同実施形態を一部省略して示す右側面図。
【図９】図７におけるＡ−Ａ線端面図。
【図１０】図７におけるＢ−Ｂ線端面図。
【図１１】同実施形態の張地の張設前状態を示した背面図。
【図１２】図１１におけるＣ−Ｃ線拡大端面図。
【図１３】図１１におけるＤ−Ｄ線拡大端面図。
【図１４】図８におけるＥ−Ｅ線拡大端面図。
【図１５】他の実施形態におけるフレームと横梁との接続部分を示す概略端面図。
【図１６】本実施形態の椅子にランバーフレームを装着した状態を示す図６対応図。
【図１７】同実施形態の椅子にランバーフレームを装着した状態を示す図８対応図。
【発明を実施するための形態】
【００２１】
以下、本発明を事務用回転椅子に適用した場合の一実施形態について図１ないし図１４を参照して説明する。
【００２２】
この椅子は、図１に示すように、脚体１と、この脚体１により回転可能に支持された支持基部３と、この支持基部３に支持された座５及び背凭れ７とを具備してなる。
【００２３】
脚体１は、図１に示すように、キャスタ９を有した脚羽根タイプの脚ベース１１と、この脚ベース１１の中心部に立設した脚支柱１３とを具備してなる。前記脚支柱１３は、ガススプリングを主体に構成された通常のもので、この脚支柱１３の上端部に前記支持基部３が取り付けられている。
【００２４】
支持基部３は、図３ないし図８に示すように、後方に向かって漸次幅狭となる平面視ほぼ三角形状をなすものであり、前記脚支柱１３の上端部に取り付けられる底壁３ａと、この底壁３ａの周縁に設けられた周壁３ｂと、この周壁３ｂの上端に蓋着された天壁３ｃとを具備してなる。この支持基部３には、前記脚体１のガススプリングを制御するための操作レバー３ｄが設けられている。
【００２５】
座５は、図１、図３、図６ないし図８に示すように、左右対をなす座フレーム１５と、これら両座フレーム１５間に張設された可撓性のある座張地１７と、この座張地１７との間に空間１９を形成しつつ前記両座フレーム１５の前端部１５ｂ間に介設されその介設状態で前記座張地１７に張力を付与する前横梁２１とを具備してなる。
【００２６】
背凭れ７は、図１、図３、図６ないし図８に示すように、左右対をなす背フレーム２３と、これら両背フレーム２３間に張設された可撓性のある背張地２５と、この背張地２５との間に空間２７を形成しつつ前記両背フレーム２３の上部２３ａ間に介設されその介設状態で前記背張地２５に張力を付与する上横梁２９と、前記背張地２５との間に空間３１を形成しつつ前記両背フレーム２３の下部２３ｂ間に介設されその介設状態で前記背張地２５に張力を付与する下横梁３３とを具備してなる。
【００２７】
前記座フレーム１５と前記背フレーム２３とは、図１ないし図８に示すように、連続したものであり（連続した座フレーム１５と背フレーム２３とを「フレームＦ」と総称する場合がある）、前記座５と背凭れ７とが一体となるように構成されている。すなわち、左の座フレーム１５と左の背フレーム２３、及び右の座フレーム１５と右の背フレーム２３とはそれぞれ一本の連続した金属素材を一体に成形することにより一体に構成されている。
【００２８】
前記左のフレームＦ及び右のフレームＦの各外側面Ｆａには、図８ないし図１０に示すように、前記座張地１７及び前記背張地２５を取り付けるための取付溝３５が形成されている。これらの取付溝３５は、前記各フレームＦの裏面Ｆｂよりも表面Ｆｃに近い位置に配されている。ここで、裏面Ｆｂとは、座フレーム１５の場合には下面を意味し、背フレーム２３の場合には背面を意味する。また、表面Ｆｃとは、座フレーム１５の場合には上面を意味し、背フレーム２３の場合には前面を意味する。
【００２９】
前記座張地１７及び前記背張地２５（以下、「張地Ｍ」と総称する場合がある）は、図１、図３、図６ないし図８、及び図１１ないし図１３に示すように、合成樹脂製の糸を織成または編成してなるメッシュ状の張地素材を所定形状に裁断することにより一体に構成されており、着座面である表面Ｍａ側から裏面Ｍｂ側に存在するものを視認することができるような透光性を備えている。
【００３０】
この張地Ｍの左右両縁部Ｍｃには、図１１及び図１３に示すように、帯状をなす剛性のある押し込み材３７が設けられている。この押し込み材３７は、前記張地Ｍの縁部Ｍｃに沿って連続して設けられたものであり、前記張地Ｍの縁部Ｍｃの一面側、すなわち裏面Ｍｂ側に縫製等により添着されている。また、この押し込み材３７は、合成樹脂等により作られたもので、前記取付溝３５に挿入可能な厚み寸法Ｔ１を有するとともに、前記取付溝３５の奥行き方向の開口寸法よりも大きな幅寸法Ｗ１を有したものである。
【００３１】
そして、図１３に示すように、この張地Ｍの各縁部Ｍｃを前記押し込み材３７とともに前記フレームＦの外面Ｆａ側に設けられた取付溝３５に反転させて挿入することにより、当該張地Ｍを左右のフレームＦ間に張設している。この状態で、左右のフレームＦ間に前横梁２１、上横梁２９及び下横梁３３を介在させることによって前記張地Ｍに張力が付与される。このようにして張力を付与された張地Ｍは、左右のフレームＦの形状に沿った形態となる。すなわち、左右の背フレーム２３は、下端の近傍に着座者の腰形状に対応して前方に突出する突出部２３ｃを有したものであり、前記背張地２５が下横梁３３により張力を付与されることにより前記突出部２３ｃに対応した突出形状をなすように張設されている。
【００３２】
また、前記張地Ｍの左右のフレームＦに支持されていない縁部Ｍｄ、Ｍｅは、図３、図１１及び図１２に示すように、袋状のものであり、その縁部Ｍｄ、Ｍｅ内に透明な芯材３９が内蔵されている。具体的には、前記座５の前縁に位置する張地Ｍ（座張地１７）の縁部Ｍｄ及び前記背凭れ７の上縁に位置する張地Ｍ（背張地２５）の縁部Ｍｅに芯材３９がそれぞれ設けられている。これらの芯材３９は、それぞれ透明なシート材を一定長さの帯状に裁断してなるもので、これら各芯材３９の両端部３９ａと前記押し込み材３７との間には芯材３９が存在しない可撓変形部４１を形成してなる。
【００３３】
前記前横梁２１は、図３ないし図６に示すように、中間に略平坦な平坦部２１ａを有した正面視Ｕ字形をなしており、その左右両端部２１ｂに左右の座フレーム１５の内側面１５ａにそれぞれ直接的に密接する対をなす取付壁４５を備えている。そして、これら各取付壁４５をそれぞれ複数の止着具たるボルト４７を用いて対応する座フレーム１５に止着している。具体的には、この取付壁４５に貫通させた２本のボルト４７を前記座フレーム１５に埋設したナット４９に締着することにより、この取付壁４５を前記座フレーム１５に固定している。なお、前横梁２１の両端部２１ｂには、前記各取付壁４５と協働して座フレーム１５を挟持する外装壁５１をそれぞれ備えている。前記取付壁４５は、前記座フレーム１５に沿って延びる形状をなしており、前記取付壁４５と前記外装壁５１とによって構成される嵌合部５３が、座フレーム１５に沿って延びる前後に長い形態をなしている。しかして、前記取付壁４５は、その厚み寸法Ｔ２よりも座フレーム１５に沿う方向の長手寸法Ｌ２が大きくなるように設定されている。
【００３４】
前記上横梁２９は、図２ないし図７及び図１０に示すように、その中央部２９ａが後方に突出するように湾曲したものであり、その左右両端部２９ｂに左右の背フレーム２３の内側面２３ｄにそれぞれ直接的に密接する対をなす取付壁５５を備えている。そして、これら各取付壁５５をそれぞれ複数の止着具たるボルト５７を用いて対応する背フレーム２３に止着している。具体的には、この取付壁５５に貫通させた２本のボルト５７を前記背フレーム２３に埋設したナット５９に締着することにより、この取付壁５５を前記背フレーム２３に固定している。なお、上横梁２９の両端部２９ｂには、前記各取付壁５５と協働して背フレーム２３を挟持する外装壁６１をそれぞれ備えている。前記取付壁５５は、前記背フレーム２３に沿って延びる形状をなしており、前記取付壁５５と前記外装壁６１とによって構成される嵌合部６３が、背フレーム２３に沿って延びる上下に長い形態をなしている。しかして、前記取付壁５５は、その厚み寸法Ｔ３よりも背フレーム２３に沿う方向の長手寸法Ｌ３が大きくなるように設定されている。
【００３５】
前記下横梁３３は、図２ないし図７及び図９に示すように、着座者の腰形状に対応して前方に突出する背フレーム２３の突出部２３ｃの近傍同士を結合するものであって、その左右方向の中央部３３ａが後方に突出するように湾曲しており、その左右両端部３３ｂに左右の背フレーム２３の内側面２３ｄにそれぞれ直接的に密接する対をなす取付壁６５を備えている。そして、これら各取付壁６５をそれぞれ複数の止着具たるボルト６７を用いて対応する背フレーム２３に止着している。具体的には、この取付壁６５に貫通させた２本のボルト６７を前記背フレーム２３に埋設したナット６９に締着することにより、この取付壁６５を前記背フレーム２３に固定している。なお、下横梁３３の両端部３３ｂには、前記各取付壁６５と協働して背フレーム２３を挟持する外装壁７１をそれぞれ備えている。前記取付壁６５は、前記背フレーム２３に沿って延びる形状をなしており、前記取付壁６５と前記外装壁７１とによって構成される嵌合部７３が、背フレーム２３に沿って延びる上下に長い形態をなしている。しかして、前記取付壁６５は、その厚み寸法Ｔ４よりも背フレーム２３に沿う方向の長手寸法Ｌ４が大きくなるように設定されている。
【００３６】
このようにしてなる本実施形態にかかる椅子は、図２及び図８に示すように、座５と背凭れ７とが一体に構成されており、これら座５及び背凭れ７が前記支持基部３に一体に設けられた前横梁２１によって片持ち支持されている。そして、この支持基部３と前記座５との間に荷物載置面７５が設けられ、その荷物載置面７５と前記座５の裏面５ａとの間に荷物Ｂ１を出し入れ自在に収容するための荷物収容空間７７が形成されている。
【００３７】
前記荷物載置面７５は、図２及び図３に示すように、平面視においてその外縁７５ａの一部が前記支持基部３の外縁３ｅよりも外側に位置する延出部７９を備えており、その延出部７９に埃排除手段８１が設けられている。すなわち、この実施形態における荷物載置面７５は、前横梁２１の平坦部２１ａの上面２１ｃと支持基部３の上に着脱可能に装着された棚板８３の上面８３ａにより形成されている。換言すれば、前記支持基部３の上面３ｆを覆い隠すようにして前記棚板８３が設けられており、その棚板８３に前記荷物載置面７５の主要部、すなわち荷物載置面７５の一部が形成されている。
【００３８】
前記棚板８３は、図２ないし図８に示すように、その上面８３ａで荷物Ｂ１を装脱可能に支持するための荷物載置面７５の一部を形成する棚板本体８５と、この棚板本体８５の下面に設けられ前記支持基部３に着脱可能に外嵌される外嵌壁体８７とを備えている。
【００３９】
前記棚板本体８５は、前記支持基部３の上面３ｆに載置されるものであって、平面視において支持基部３よりも大きな面積を有しており、前記支持基部３よりも外側に位置する部位に前記埃排除手段８１を構成する複数の貫通孔８２が設けられている。この棚板本体８５は、平面視においてＡ４版サイズよりも大きな面積を有したもので、その左右両側縁部８５ａに荷物Ｂ１の落下を防止するための湾曲部８５ｂを備えている。この棚板本体８５は、その中央部を前記脚支柱１３の軸心である支持基部３の回転中心Ｏにほぼ一致させて配設されており、前記荷物載置面７５が前記支持基部３の回転中心Ｏを含む位置に形成されるようにしている。
【００４０】
前記外嵌壁体８７は、前記支持基部３の外周面３ｇに重なり合う包持部８７ａと、前記支持基部３の底面周縁部分３ｈに重なり合う抜止部８７ｂとを備えてなるもので、前記支持基部３に後方から装脱し得るようにその前面が開放されている。また、前記外嵌壁体８７は、前記包持部８７ａの外面を前記棚板本体８５の下面に接続するためのリブ８７ｃを備えている。
【００４１】
また、この実施形態にかかる椅子は、図１に示すように、肘掛け８９を有している。この肘掛け８９は、図３ないし図５、図８、図１４に示すように、前記下横梁３３の外装壁７１と一体に連続形成されたものであり、前記下横梁３３の外面３３ｃと前記肘掛け８９の外面８９ａとが滑らかに一体化されている。この肘掛け８９は、前記背凭れ７から前方に延出させて設けられたものであり、前記背凭れ７に支持された肘掛け本体９１と、この肘掛け本体９１上に設けられた肘当てパット９３とを具備してなる。
【００４２】
前記肘掛け本体９１は、前記下横梁３３に一体に設けられた肘支柱９５と、この肘支柱９５の先端部に設けられた肘フレーム９７とからなり、この肘フレーム９７上に前記肘当てパット９３を装着している。具体的には、前記肘フレーム９７が、その上面に前後対をなす取付部９７ａを有した硬質の下枠部９７ｂと、この下枠部９７ｂの取付部９７ａに前後両端部を取付けた硬質の上枠部９７ｃとからなるもので、この下枠部９７ｂと上枠部９７ｃとで剛性を有したループ形状を形成している。換言すれば、この下枠部９７ｂと前記上枠部９７ｃとで窓部９９が形成される。そして、上枠部９７ｃの上に軟質の肘当てパット９３を設けている。そして、この窓部９９の開口縁９９ａに平面視において肘当てパット９３の外縁９３ａからはみ出さない状態でかばんその他の荷物Ｂ２を掛けるためのフック１０１を設けている。すなわち、このフック１０１は、前記肘フレーム９７の窓部９９に一体に形成されている。換言すれば、このフック１０１は、前記窓部９９の開口縁９９ａの下辺部分９９ｂを変形させることにより形成されたものである。
【００４３】
また、この実施形態にかかる椅子は、図２ないし図６に示すように、衣類を掛けるためのハンガー１０３を備えている。このハンガー１０３は、前記上横梁２９の下辺２９ｃに懸吊姿勢で一体的に設けられたものであり、衣類を掛けるためのハンガー本体１０５と、このハンガー本体１０５を前記上横梁２９との間に隙間１０７を維持した状態で前記上横梁２９に懸吊支持させる懸吊部材１０９とを具備してなる。
【００４４】
以上に述べたように、本実施形態に係る回転椅子は、脚体１と、この脚体１により旋回可能に支持された支持基部３と、この支持基部３に支持された座５及び背凭れ７とを具備してなり、前記座５が、左右対をなす座フレーム１５と、これら両座フレーム１５間に張設された可撓性のある座張地１７と、この座張地１７との間に空間１９を形成しつつ前記両座フレーム１５の前端部１５ｂ間に介設されその介設状態で前記座張地１７に張力を付与する前横梁２１とを備えたものであり、前記背凭れ７が、左右対をなす背フレーム２３と、これら両背フレーム２３間に張設された可撓性のある背張地２５と、この背張地２５との間に空間２７を形成しつつ前記両背フレーム２３の上部２３ａ間に介設されその介設状態で前記背張地２５に張力を付与する上横梁２９と、前記背張地２５から後方に離れた状態でこの背張地２５との間に空間３１を形成しつつ前記両背フレーム２３の下部２３ｂ間に介設されその介設状態で前記背張地２５に張力を付与する下横梁２９とを備えており、これら左右対をなすフレームＦ間に前横梁２１、上横梁２９及び下横梁３１を介設した状態で張地Ｍに張力を付与しているので、張地Ｍを左右のフレームＦに対応した形状に保形でき、張地Ｍに高い張力を与えることができる。
【００４５】
前記前横梁２１が、左右両端部２１ｂに左右の座フレーム１５の内側面１５ａに直接的に密接する対をなす取付壁４５を備えたものであり、前記上横梁２９及び下横梁３１が、左右両端部２９ｂ、３３ｂに左右の背フレーム２３の内側面２３ｄに密接する対をなす取付壁５５、６５をそれぞれ備えているので、各取付壁４５、５５、６５が左右のフレームＦを外側面Ｆａ側に押圧し、前記張地Ｍに左右方向の張力を付与することができる。そのため、張地Ｍに高い張力を与えることができる。さらに、前横梁２１、上横梁２９及び下横梁３１はそれぞれ外装壁５１、６１、７１を備えているので、前記取付壁４５、５５、６５とこの外装壁５１、６１、７１とによってフレームＦを左右方向から挟持することができ、フレームＦの左右のずれを抑制することができる。
【００４６】
さらに、前記各取付壁４５、５５、６５が、前記フレームＦに沿って伸びる形状をなしており、それら取付壁４５、５５、６５をそれぞれ２本のボルト４７、５７、６７を用いて対応する座フレーム１５または背フレーム２３に止着しているものであるので、座フレーム１５及び背フレーム２３に取付壁４５、５５、６５を強固に取り付けることができる。したがって、前記取付壁４５、５５、６５が設けられた下横梁３１を座フレーム１５に、上横梁２９及び下横梁３１を背フレーム２３にそれぞれ強固に取り付けることが可能となる。
【００４７】
さらに前記取付壁４５、５５、６５が、その厚み寸法Ｔ２、Ｔ３、Ｔ４よりも座フレーム１５または背フレーム２３に沿う方向の長手寸法Ｌ２、Ｌ３、Ｌ４を大きく設定したものであるので、前記取付壁４５、５５、６５と座フレーム１５または背フレーム２３との密着性をより高めることができる。
【００４８】
前記背フレーム２３が、下端近傍部に着座者の腰形状に対応して前方に突出する突出部２３ｃを有したものであり、この腰部分に対応する前記突出部２３ｃの近傍裏面側で左右の背フレーム２３の間に、それら背フレーム２３を左右に押し広げるように前記下横梁３３が取り付けられている。そのため、前記背張地２５が下横梁３３により張力を付与されることにより前記突出部２３ｃに対応した突出形状をなすように張設され、特に体重が集中してかかる部分の張地Ｍの張力を大きくすることができる。
【００４９】
また、前記張地Ｍは、その左右両縁部Ｍｃに押し込み材３７を備えたものであり、この押し込み材３７を前記フレームＦの外側面Ｆａに連続的に設けられた取付溝３５に反転させて挿入して張地Ｍを張設しているので、張地Ｍに設けられた押し込み材３７をフレームＦに設けられた取付溝３５に押し込んでいくという簡易な張設作業により、張地Ｍに所望の張力を与えることができる。また、押し込み材３７をフレームＦの外側面Ｆａに設けられた取付溝３５に反転して挿入しているので、従来のようにフレームＦの外側面Ｆａ側に張地Ｍをまわり込ませることなく取り付ける場合と比較して、着座面の端部まで張地Ｍが撓み、座り心地のよいものとすることができる。
【００５０】
特に、前記押し込み材３７が前記張地Ｍの裏面Ｍｂ側の左右両縁部Ｍｃに沿って連続して設けられており、前記取付溝３５がフレームＦの外側面Ｆａに連続的に設けられているので、押し込み材３７を取付溝３５に押し込むと、その押し込み材３７の有する剛性により順次連続する押し込み材３７を取付溝３５に押し込みやすくなり、張地ＭをフレームＦに取り付ける作業を簡単に行うことができる。
【００５１】
さらに、前記張地Ｍがメッシュ状のものであるので、張地Ｍのテンション分布を理解することができる。すなわち、張地Ｍのどの部分に張力が大きくかかっているかを見た目で識別することが可能である。
【００５２】
また、左右の肘掛け８９は、腰部背面に位置する下横梁３３と合わせて一体に成形されており、さらに下横梁３３部分において左右の背フレーム２３をつなぐように、左右の背フレーム２３とそれぞれ縦方向の長手寸法Ｌ４をもって固定されているため、取付強度が高く、使用中に肘掛け８９に荷重がかかってもぐらつくことがない。また、肘掛け無しタイプの椅子との互換性についても、製品の組み立て段階で、肘掛け無しタイプまたは肘掛け付きタイプの下横梁３３を必要に応じて選択して取り付けるだけなので、製品の作り分けが容易である。
【００５３】
なお、本発明は以上に述べた実施形態に限られない。
【００５４】
本実施形態にかかる椅子は、座と背凭れとが一体に構成されている椅子について説明したが、これに限られず、前記座フレームと背フレームとが不連続のものであり、座と背凭れとが別体で構成されているものでもよい。
【００５５】
このようなものである場合には、左右座フレーム間の前部に介設される前横梁の他に、左右座フレーム間の後部に介設される後横梁を設けることが好ましい。このようなものであれば、座の後方においても張地に所望の張力を与えることができる。
【００５６】
また、前横梁、上横梁及び下横梁は、それぞれフレームに直接的に取り付けられたものに限られず、図１５に示すように、各横梁２１、２９、３３をフレームＦに間接的に取り付けられるものであってもよい。すなわち、各横梁２１、２９、３３の取付壁４５、５５、６５とフレームＦとの間に隙間を設け、その隙間にスペーサＳ等の介在部材を設けるものであってもよい。このようなものであれば、介在させるスペーサＳの厚みを種々変更することにより、張地Ｍの張力を調節することができる。
【００５７】
さらに、図１６及び図１７に示すように、下横梁３３と背張地２５との間に腰部を支持するランバーサポート部材１１１を介在させ、前記ランバーサポート部材１１１を下横梁３３に取り付けるものであってもよい。このようなものであれば、前記下横梁３３の断面が略長方形状をなしているため、図１６及び図１７に示すようなランバーサポート部材１１１を回転不能に着脱することができる。このランバーサポート部材１１１は、例えば、合成樹脂の一体成形により作られたものであり、その端部に一方に開口した断面Ｃ字形をなす取付部１１１ａを備えている。このランバーサポート１１１は、前記取付部１１１ａを前記下横梁３３に嵌合させた後、Ｃ字形の開口部分に図示しない別体の蓋部材をねじ等により取り付けることによって下横梁３３に固定するようにすることが好ましい。
【００５８】
その他、本発明の趣旨を損ねない範囲で種々に変更してよい。
【符号の説明】
【００５９】
１…脚体
３…支持基部
５…座
７…背凭れ
１５…座フレーム
１５ａ…内側面（座フレーム）
１７…座張地
１９…空間（前横梁との間）
２１…前横梁
２１ｂ…端部（前横梁）
２３…背フレーム
２３ａ…上部（背フレーム）
２３ｂ…下部（背フレーム）
２３ｃ…突出部（背フレーム）
２３ｄ…内側面（背フレーム）
２５…背張地
２７…空間（上横梁との間）
２９…上横梁
２９ｂ…端部（上横梁）
３１…空間（下横梁との間）
３３…下横梁
３３ｂ…端部（下横梁）
３５…取付溝
３７…押し込み材
４５…取付壁（前横梁）
５５…取付壁（上横梁）
６５…取付壁（下横梁）
４７、５７、６７…止着具（ボルト）
Ｔ２、Ｔ３、Ｔ４…厚み寸法（取付壁）
Ｌ２、Ｌ３、Ｌ４…長手寸法（取付壁）
Ｍｃ…縁部（張地の左右）
Ｆａ…外側面（フレーム）
【図１】
2011045567.tif 000003
【図２】
2011045567.tif 000004
【図３】
2011045567.tif 000005
【図４】
2011045567.tif 000006
【図５】
2011045567.tif 000007
【図６】
2011045567.tif 000008
【図７】
2011045567.tif 000009
【図８】
2011045567.tif 000010
【図９】
2011045567.tif 000011
【図１０】
2011045567.tif 000012
【図１１】
2011045567.tif 000013
【図１２】
2011045567.tif 000014
【図１３】
2011045567.tif 000015
【図１４】
2011045567.tif 000016
【図１５】
2011045567.tif 000017
【図１６】
2011045567.tif 000018
【図１７】
2011045567.tif 000019